(57)【要約】【課題】  部品点数の削減を図り、時計バンドの取付作業の簡素化を図り、かつ耐衝撃性の高い腕時計ケースおよび腕時計を提供する。【解決手段】  ケース本体２と、このケース本体２の外周面に設けられた合成樹脂製のベゼル３と、ケース本体２の裏面側に突出する緩衝突起部８ａを有してベゼル３に一体に形成され、かつ時計バンド１３が連結されるバンド連結部８と、を備えている。従って、バンド連結部８に先カンカバーの機能をもたせることができるので、先カンカバーを別部品として製作する必要がない。このため、部品点数の削減を図ることができると共に、時計バンド１３の取付作業の簡素化を図ることができ、かつケース本体２の裏面側落下時にバンド連結部８の緩衝突起部８ａによって衝撃を緩衝することができるので、耐衝撃性を高めることができる。【選択図】        図２
2015010905.tif 000002
【特許請求の範囲】
【請求項１】
ケース本体と、
このケース本体の外周面に設けられた合成樹脂製のベゼルと、
前記ケース本体の裏面側に突出する緩衝突起部を有すると共に、前記ベゼルに一体に形成され、かつ時計バンドが連結されるバンド連結部と、
を備えていることを特徴とする腕時計ケース。
【請求項２】
請求項１に記載の腕時計ケースにおいて、前記バンド連結部の前記緩衝突起部には、前記時計バンドを前記バンド連結部に取り付けるための連結部材が挿入する挿入孔が設けられていることを特徴とする腕時計ケース。
【請求項３】
請求項１または請求項２に記載の腕時計ケースにおいて、前記ベゼルおよび前記バンド連結部は、弾力性を有する合成樹脂によって形成されていることを特徴とする腕時計ケース。
【請求項４】
請求項１〜請求項３のいずれかに記載の腕時計ケースにおいて、前記ケース本体の外周面に設けられた係止部と、前記バンド連結部に対応する前記ベゼルの内周面に設けられて前記係止部に係合する係合部と、を備えていることを特徴とする腕時計ケース。
【請求項５】
請求項１〜請求項４のいずれかに記載の腕時計ケースにおいて、前記バンド連結部は、前記ケース本体の裏面に取り付けられた裏蓋の裏面を弾力的に係止するフック部を備えていることを特徴とする腕時計ケース。
【請求項６】
時計モジュールが組み込まれたケース本体と、
このケース本体の外周面に設けられた合成樹脂製のベゼルと、
前記ケース本体の裏面側に突出する緩衝突起部を有すると共に、前記ベゼルに一体に形成され、かつ時計バンドが連結されるバンド連結部と、
を備えていることを特徴とする腕時計。
【発明の詳細な説明】
【技術分野】
【０００１】
この発明は、腕時計ケースおよび腕時計に関する。
【背景技術】
【０００２】
例えば、腕時計ケースにおいては、特許文献１に記載されているように、ケース本体の外周部にバンド取付部を設け、このバンド取付部に時計バンドの先カンカバーを取り付け、この先カンカバーに時計バンドのバンド本体を取り付けるように構成されたものが知られている。
【先行技術文献】
【特許文献】
【０００３】
【特許文献１】特開２０００−３３００４号公報
【発明の概要】
【発明が解決しようとする課題】
【０００４】
しかしながら、このような腕時計ケースでは、ケース本体のバンド取付部にバンド本体を取り付ける際に、先カンカバーをバンド本体に取り付け、この先カンカバーをケース本体のバンド取付部にばね棒などの連結部材によって取り付けているため、先カンカバーや連結部材などの部品点数が多くなり、ケース本体のバンド取付部に対するバンド本体の取付作業が煩雑で面倒であるという問題があるほか、腕時計ケース全体の耐衝撃性を確保することができないという問題もある。
【０００５】
この発明が解決しようとする課題は、部品点数の削減を図り、時計バンドの取付作業の簡素化を図り、かつ耐衝撃性の高い腕時計ケースおよび腕時計を提供することである。
【課題を解決するための手段】
【０００６】
この発明は、ケース本体と、このケース本体の外周面に設けられた合成樹脂製のベゼルと、前記ケース本体の裏面側に突出する緩衝突起部を有すると共に、前記ベゼルに一体に形成され、かつ時計バンドが連結されるバンド連結部と、を備えていることを特徴とする腕時計ケースである。
【発明の効果】
【０００７】
この発明によれば、バンド連結部に時計バンドの先カンカバーの機能をもたせることができるので、先カンカバーを別部品として製作する必要がない。このため、部品点数の削減を図ることができると共に、時計バンドの取付作業の簡素化を図ることができ、かつケース本体の裏面側落下時にバンド連結部の緩衝突起部によって衝撃を緩衝することができるので、耐衝撃性を高めることができる。
【図面の簡単な説明】
【０００８】
【図１】この発明を腕時計に適用した第１実施形態を示した裏面側の拡大斜視図である。
【図２】図１に示された腕時計のＡ−Ａ矢視において、上下反転して示した要部の拡大断面図である。
【図３】図２に示された腕時計の腕時計ケースをケース本体とベゼルとに分解して示した拡大側面図である。
【図４】図３に示された腕時計ケースのケース本体を斜め下側から見た拡大斜視図である。
【図５】図３に示された腕時計ケースのベゼルを斜め下側から見た拡大斜視図である。
【図６】この発明を腕時計に適用した第２実施形態を示した裏面側の拡大斜視図である。
【図７】図６に示された腕時計のＢ−Ｂ矢視において、上下反転して示した要部の拡大断面図である。
【発明を実施するための形態】
【０００９】
（第１実施形態）
以下、図１〜図５を参照して、この発明を腕時計に適用した第１実施形態について説明する。
この腕時計は、図１および図２に示すように、腕時計ケース１を備えている。この腕時計ケース１は、ケース本体２とベゼル３とを備えている。ケース本体２は、金属または硬質の合成樹脂などの硬質材料からなり、その内部に時計モジュール（図示せず）が組み込まれるように構成されている。
【００１０】
このケース本体２の上部開口部には、図２に示すように、時計ガラス４がパッキン４ａを介して取り付けられている。また、このケース本体２の上面には、見切り部材５が時計ガラス４の上面における縁部に跨って設けられている。さらに、このケース本体２の下部には、裏蓋６が防水リング６ａを介して複数のビス７によって取り付けられている。
【００１１】
一方、ベゼル３は、図１〜図５に示すように、弾力性を有する合成樹脂からなり、ケース本体２の外周面に取り付けられている。すなわち、このベゼル３は、ケース本体２の外周面の全周を覆う形状に形成されている。このベゼル３の１２時および６時に対応する個所にバンド連結部８がそれぞれ一体に形成されている。
【００１２】
また、このベゼル３の２時、４時、８時、および１０時に対応する各個所には、図３および図５に示すように、スイッチ釦９が挿入する貫通孔１０がそれぞれ設けられている。この場合、ケース本体２には、図３および図４に示すように、スイッチ釦９が取り付けられる釦取付孔２ａが、ベゼル３の各貫通孔１０にそれぞれ対応して設けられている。
【００１３】
さらに、ケース本体２の外周面には、図２〜図４に示すように、複数の係止突起部１１が外部に向けて突出して設けられている。また、ベゼル３の内周面には、ケース本体２の各係止突起部１１に係合する複数の係合凹部１２が設けられている。すなわち、ケース本体２の係止突起部１１は、バンド連結部８に対応するケース本体２の外周面に、矩形状に形成されている。
【００１４】
また、ベゼル３の係合凹部１２は、図２に示すように、バンド連結部８に対応するベゼル３の内周面に、係止突起部１１とほぼ同じ形状の凹部状に形成されている。これにより、ベゼル３は、ケース本体２の外周面に装着される際に、バンド連結部８を外側に押し広げて、ベゼル３全体を弾性変形させ、この状態でベゼル３の係合凹部１２にケース本体２の係止突起部１１が弾力的に係合するように構成されている。
【００１５】
また、このベゼル３は、図２に示すように、ベゼル３の係合凹部１２にケース本体２の係止突起部１１が係合して、ケース本体２の外周面に装着された際に、ケース本体２の外周面に対するベゼル３の浮き上がりを防ぐことにより、不用意にケース本体２の外周面から外れないように構成されている。
【００１６】
ところで、バンド連結部８は、図１および図２に示すように、時計バンド１３のバンド本体１４をケース本体２に対して取り付けるためのものであり、本来はバンド本体１４の先端部に取り付けられる先カンカバーの機能を有するように構成されている。このバンド連結部８は、ケース本体２の下側、つまりケース本体２の下部に取り付けられた裏蓋６の裏面側（図２では下側）に突出した状態で、ベゼル３に一体に形成されている。
【００１７】
すなわち、このバンド連結部８は、図１〜図３に示すように、ベゼル３の下部からベゼル３の側方に向けて斜め下側に突出して形成されている。このバンド連結部８は、その先端部におけるベゼル３の外周方向の長さが、バンド本体１４の長手方向と直交する方向の長さと同じ長さに形成されている。このバンド連結部８の先端部には、ほぼ半円筒状の緩衝突起部８ａが裏蓋６の裏面側に突出して形成されている。
【００１８】
この緩衝突起部８ａは、図１〜図３に示すように、ベゼル３の外周方向の長さが、バンド連結部８の先端部におけるベゼル３の外周方向の長さよりも、短く形成されている。また、この緩衝突起部８ａには、バンド本体１４をバンド連結部８に取り付けるためのばね棒１５が挿入する挿入孔８ｂが、ベゼル３の外周方向に貫通して形成されている。
【００１９】
この場合、腕時計ケース１側に位置するバンド本体１４の先端部には、図１および図２に示すように、凹部１４ａが設けられている。この凹部１４ａの両側部には、一対の取付片１４ｂが設けられている。これら一対の取付片１４ｂは、ベゼル３の外周方向の長さがバンド連結部８の先端部におけるベゼル３の外周方向の長さと同じ長さに形成されている。また、これら一対の取付片１４ｂには、ばね棒１５の両端部が挿入する取付孔１４ｃがそれぞれ設けられている。
【００２０】
これにより、バンド本体１４は、図１および図２に示すように、その先端部の凹部１４ａにバンド連結部８の緩衝突起部８ａが配置されると、この凹部１４ａの両側部に設けられた一対の取付片１４ｂの各取付孔１４ｃが、バンド連結部８の緩衝突起部８ａに設けられた挿入孔８ｂに同軸上に対応するように構成されている。
【００２１】
また、ばね棒１５は、図２に示すように、パイプ部の両端部にピン部が出没可能に設けられ、このピン部がパイプ部内に設けられたばね部材（いずれも図示せず）によって弾力的に押し出されるように構成されている。この場合、パイプ部は、バンド連結部８の緩衝突起部８ａに設けられた挿入孔８ｂ内に挿入するように構成されている。ピン部は、バンド本体１４の凹部１４ａの両側部に設けられた一対の取付片４ｂの各取付孔１４ｃに挿入するように構成されている。
【００２２】
これにより、バンド本体１４は、図１および図２に示すように、バンド本体１４の凹部１４ａにバンド連結部８の緩衝突起部８ａが嵌め込まれた状態で、バンド本体１４の一対の取付片４ｂの各取付孔１４ｃとバンド連結部８の緩衝突起部８ａに設けられた挿入孔８ｂとに、ばね棒１５が挿入されることにより、腕時計ケース１のベゼル３に一体に形成されたバンド連結部８に連結されるように構成されている。
【００２３】
次に、このような腕時計ケース１の作用について説明する。
この腕時計ケース１を組み立てる場合には、まず、ケース本体２の外周面にベゼル３を取り付ける。このときには、ベゼル３の下部側を外側に向けて押し広げて、ケース本体２の外周面に上方から被せ、バンド連結部８が位置するベゼル３の係合凹部１２をケース本体２の係止突起部１１に対応させる。すると、ベゼル３およびバンド連結部８の弾性復帰力によって、ベゼル３の係合凹部１２がケース本体２の係止突起部１１に弾力的に係合する。
【００２４】
このようにケース本体２の外周面にベゼル３が取り付けられた状態では、ベゼル３の両側にバンド連結部８の緩衝突起部８ａが斜め下側に向けて突出して配置される。この状態では、ベゼル３の係合凹部１２がケース本体２の係止突起部１１に弾力的に係合していることにより、ケース本体２の外周面に対してベゼル３が浮き上がることがない。このため、不用意にベゼル３がケース本体２の外周面から外れることがない。
【００２５】
また、この腕時計ケース１が裏蓋６を下に向けて落下すると、バンド連結部８が衝撃を受ける。このときには、腕時計ケース１の裏蓋６の裏面側に突出したバンド連結部８の緩衝突起部８ａが弾性変形して、衝撃を吸収する。これにより、ケース本体１内の時計モジュールを保護することができる。このとき、バンド連結部８の緩衝突起部８ａが弾性変形しても、ベゼル３がケース本体２の外周面から浮き上がってケース本体２から外れることがない。
【００２６】
さらに、ケース本体２の外周面にベゼル３が取り付けられた際には、ベゼル３のバンド連結部８がケース本体１の裏蓋６の裏面を覆うことなく配置されている。このため、裏蓋６をケース本体２の裏面から取り外す際に、バンド連結部８が邪魔にならず、容易に裏蓋６をケース本体２から取り外して、電池交換を容易に行うことができる。
【００２７】
次に、このような腕時計ケース１に時計バンド１３を取り付ける場合について説明する。
このときには、まず、ばね棒１５のパイプ部をバンド連結部８の緩衝突起部８ａに設けられた挿入孔８ｂ内に挿入する。この状態では、ばね棒１５のパイプ部の両端部からピン部がばね部材のばね力によって押し出され、この押し出されたピン部がバンド連結部８の緩衝突起部８ａの両側に突出する。
【００２８】
このため、ばね棒１５のピン部をばね部材のばね力に抗してパイプ部内に押し込み、この状態でバンド本体１４の先端部の凹部１４ａをバンド連結部８の緩衝突起部８ａに嵌め込む。そして、バンド本体１４の凹部１４ａの両側部に設けられた一対の取付片１４ｂの各取付孔１４ｃをばね棒１５のパイプ部の両端部に対応させる。すると、ばね棒１５のピン部が、ばね部材のばね力によって押し出されて、一対の取付片１４ａの各取付孔１４ｃ内にそれぞれ挿入される。これにより、バンド本体１４がバンド連結部８に取り付けられる。
【００２９】
このように、この腕時計ケース１によれば、硬質材料からなるケース本体２と、このケース本体２の外周面に設けられた合成樹脂製のベゼル３と、ケース本体２の裏面側に突出する緩衝突起部８ａを有してベゼル３に一体に形成され、かつ時計バンド１３が連結されるバンド連結部８と、を備えていることにより、部品点数の削減を図ると共に、時計バンド１３の取付作業の簡素化を図ることができ、かつ耐衝撃性を高めることができる。
【００３０】
すなわち、この腕時計ケース１では、バンド連結部８に時計バンド１３の先カンカバーの機能をもたせることができるので、先カンカバーを別部品として製作する必要がない。このため、部品点数の削減を図ることができると共に、時計バンド１３の取付作業の簡素化を図ることができ、かつケース本体２の裏面側落下時にバンド連結部８の緩衝突起部８ａによって衝撃を緩衝することができるので、耐衝撃性を高めることができる。
【００３１】
この場合、バンド連結部８の緩衝突起部８ａには、時計バンド１３をバンド連結部８に対して取り付けるためのばね棒１５が挿入する挿入孔８ｂが設けられていることにより、本来、時計バンド１３のバンド本体１４に取り付けられている先カンカバーが不要となるので、時計バンド１３の部品点数を削減することができると共に、時計バンド１３の構造の簡素化を図ることができ、これにより時計バンド１３の取付作業の簡素化を図ることができる。
【００３２】
すなわち、バンド連結部８は、その先端部にほぼ半円筒状の緩衝突起部８ａが形成され、この緩衝突起部８ａにばね棒１５が挿入する挿入孔８ｂが形成された構成であり、バンド本体１４は、腕時計ケース１側に位置する先端部に凹部１４ａが設けられ、この凹部１４ａの両側部に一対の取付片１４ｂが設けられ、これら一対の取付片１４ｂにばね棒１５の両端部がそれぞれ挿入する各取付孔１４ｃが設けられた構成であるから、バンド連結部８にバンド本体１４をばね棒１５によって簡単にかつ容易に取り付けることができる。
【００３３】
また、この腕時計ケース１によれば、ベゼル３およびバンド連結部８が弾力性を有する合成樹脂によって一体に形成されていることにより、ベゼル３をバンド連結部８と共に外側に押し広げてケース本体２の外周面に簡単に取り付けることができる共に、腕時計ケース１が外部から衝撃を受けた際に、その衝撃をベゼル３およびバンド連結部８によって緩衝することができる。これにより、ケース本体２内に組み込まれた時計モジュールを確実にかつ良好に保護することができるので、耐衝撃を確保することができる。
【００３４】
この場合、腕時計ケース１がその裏面側を下に向けて落下した際には、バンド連結部８の緩衝突起部８ａがケース本体２の裏面側に突出しているので、このバンド連結部８の緩衝突起部８ａによって腕時計ケース１の落下による衝撃を弾力的に吸収することができる。これにより、腕時計ケース１の裏蓋６が落下による衝撃を受けないように、確実にかつ良好にバンド連結部８の緩衝突起部８ａによって緩衝することができ、これによっても耐衝撃を高めることができる。
【００３５】
さらに、この腕時計ケース１によれば、ケース本体２の外周面に係止突起部１１が設けられ、バンド連結部８に対応するベゼル３の内周面に係止突起部１１に係合する係合凹部１２が設けられていることにより、ベゼル３を外側に押し広げてケース本体２の外周面に取り付ける際に、ベゼル３の係合凹部１２をケース本体２の係止突起部１１に弾力的に係合させることができ、これによりケース本体２の外周面にベゼル３を確実にかつ良好に、取り付けることができる。
【００３６】
このため、ベゼル３およびバンド連結部８が弾力性を有する合成樹脂によって一体に形成されていても、ベゼル３の係合凹部１２がケース本体２の係止突起部１１に弾力的に係合していることにより、ベゼル３がケース本体２の外周面から浮き上がるのを防ぐことができる。これにより、腕時計ケース１の落下によってバンド連結部８が衝撃を受けた際に、ベゼル３がケース本体２の外周面から浮き上がって不用意にケース本体２から外れないようにすることができる。
【００３７】
なお、上述した第１実施形態では、ケース本体２の外周面に係止突起部１１を設け、バンド連結部８に対応するベゼル３の内周面に係合凹部１２を設けた場合について述べたが、これに限らず、例えばケース本体２の外周面に係合凹部１２を設け、バンド連結部８に対応するベゼル３の内周面に係合凹部１２に係止される係止突起部１１を設けた構成であっても良い。
【００３８】
（第２実施形態）
次に、図６および図７を参照して、この発明を腕時計に適用した第２実施形態について説明する。なお、図１〜図５に示された第１実施形態と同一部分には同一符号を付して説明する。
この腕時計は、図６および図７に示すように、バンド連結部８にフック部２０を一体に形成した構成であり、これ以外は第１実施形態とほぼ同じ構成になっている。
【００３９】
この場合にも、ベゼル３およびバンド連結部８は、第１実施形態と同様、弾力性を有する合成樹脂によって一体に形成されている。また、このバンド連結部８に一体に形成されたフック部２０は、図６および図７に示すように、ケース本体２の裏面に取り付けられた裏蓋６の裏面に向けて突出し、この突出した先端部が裏蓋６の裏面に乗り上げて裏蓋６の縁部を弾力的に係止するように構成されている。
【００４０】
次に、腕時計ケース１を組み立てる場合について説明する。
この場合には、第１実施形態と同様、ケース本体２の外周面にベゼル３を取り付ける。このときには、ベゼル３の下部側をバンド連結部８およびフック部２０と共に外側に向けて押し広げて、ケース本体２の外周面に上方から被せる。すると、ベゼル３およびバンド連結部８の弾性復帰力によって、ベゼル３がケース本体２の外周面に取り付けられる。
【００４１】
この状態では、ベゼル３の両側にバンド連結部８の緩衝突起部８ａが斜め下側に向けて突出して配置されると共に、バンド連結部８に形成されたフック部２０がケース本体２の裏面に配置される。このとき、フック部２０は、ケース本体２の裏面に裏蓋６が取り付けられる領域内に突出して配置される。この状態では、バンド連結部８のフック部２０がケース本体２の裏面を弾力的に押えていることにより、ケース本体２の外周面に対してベゼル３が浮き上がることがない。このため、ベゼル３がケース本体２の外周面から不用意に外れることがない。
【００４２】
次に、この腕時計ケース１に裏蓋６を取り付ける場合について説明する。
このときには、ベゼル３に一体に形成されたバンド連結部８をベゼル３と共にケース本体２の外側に向けて押し広げることにより、バンド連結部８に一体に形成されたフック部２０をケース本体２の外側に向けて押し広げるように弾性変形させる。これにより、ケース本体２に裏蓋６が取り付けられる領域が開放される。
【００４３】
この状態で、ケース本体２の裏面に裏蓋６を配置する。そして、バンド連結部８およびフック部２０をベゼル３と共に弾性復帰させて、フック部２０の先端部を裏蓋６の裏面に乗せ、このフック部２０で裏蓋６の裏面における縁部を弾力的に係止する。このときには、裏蓋６がケース本体２の裏面に仮固定されている。この状態で、裏蓋６の位置を調整して、複数のビス７によって裏蓋６をケース本体２に固定する。これにより、腕時計ケース１に裏蓋６が取り付けられる。
【００４４】
また、裏蓋６を取り外す際には、まず、複数のビス７を取り外す。このときには、フック部２０の先端部が裏蓋６の裏面に乗り上げ、このフック部２０によって裏蓋６の裏面における縁部が弾力的に係止されているので、裏蓋６がケース本体２から脱落することがない。この状態で、フック部２０をバンド連結部８と共にケース本体２の外側に向けて押し広げて弾性変形させ、フック部２０の先端部を裏蓋６の裏面から離脱させる。これにより、裏蓋６をケース本体２から容易に取り外すことができる。
【００４５】
次に、この腕時計ケース１の作用について説明する。
この腕時計ケース１は、ベゼル３に一体に形成されたバンド連結部８のフック部２０の先端部が裏蓋６の裏面の縁部を弾力的に係止していることにより、第１実施形態のように、ケース本体２の外周面に係止突起部１１を設け、バンド連結部８に対応するベゼル３の内周面に係止突起部１１に係合する係合凹部１２を設けていなくても、ベゼル３およびバンド連結部８がケース本体２の外周面に確実にかつ良好に取り付けられる。
【００４６】
このため、腕時計ケース１が裏蓋６を下に向けて落下すると、第１実施形態と同様、バンド連結部８の緩衝突起部８ａが衝撃を受ける。このときには、バンド連結部８のフック部２０が裏蓋６の裏面の縁部を弾力的に係止した状態で、バンド連結部８および緩衝突起部８ａが弾性変形して衝撃を吸収する。
【００４７】
このため、ベゼル３がケース本体２の外周面から浮き上がってケース本体２から外れることがない。これにより、腕時計ケース１が落下による衝撃を受けても、第１実施形態と同様、その衝撃がバンド連結部８の緩衝突起部８ａによって緩衝され、ケース本体２内に組み込まれた時計モジュールが衝撃を受けないように良好に保護される。
【００４８】
このように、この腕時計ケース１によれば、第１実施形態と同様の作用効果があるほか、バンド連結部８に、ケース本体２の裏面に取り付けられた裏蓋６の裏面を弾力的に係止するフック部２０が一体に形成されているので、このフック部２０によって裏蓋６をケース本体２に対して弾力的に押えることができる。
【００４９】
このため、この腕時計ケース１では、裏蓋６をケース本体２に複数のビス７によって取り付ける際に、フック部２０によって裏蓋６を仮固定することができるので、裏蓋６を容易にかつ確実に取り付けることができる。また、裏蓋６をケース本体２から取り外す際には、複数のビス７を取り外しても、フック部２０によって裏蓋６が係止されているので、裏蓋６がケース本体２から脱落することがなく、裏蓋６をケース本体２から良好に取り外すことができる。
【００５０】
この場合にも、ベゼル３に一体に形成されたバンド連結部８のフック部２０の先端部が裏蓋６の裏面の縁部を弾力的に係止しているので、ケース本体２の外周面にベゼル３を確実にかつ良好に取り付けることができる。このため、腕時計ケース１が落下してバンド連結部８が衝撃を受けた際に、ベゼル３およびバンド連結部８が弾力性を有する合成樹脂によって一体に形成されていても、ベゼル３がケース本体２の外周面から浮き上がるのを防ぐことができる。
【００５１】
これにより、腕時計ケース１の落下によってバンド連結部８が衝撃を受けた際に、第１実施形態と同様、バンド連結部８および緩衝突起部８ａが弾性変形して衝撃を緩衝することができると共に、バンド連結部８および緩衝突起部８ａが弾性変形しても、フック部２０によってベゼル３がケース本体２の外周面から浮き上がってケース本体２から不用意に外れないようにすることができる。
【００５２】
なお、上述した第２実施形態では、バンド連結部８にフック部２０を形成し、このフック部２０の先端部のみによって、裏蓋６の裏面の縁部を弾力的に係止するように構成した場合について述べたが、フック部２０の先端部で裏蓋６の裏面の縁部を弾力的に係止する構成のほかに、第１実施形態と同様、ケース本体２の外周面に係止突起部１１を設け、バンド連結部８に対応するベゼル３の内周面に係合凹部１２を設けた構成を追加しても良い。
【００５３】
また、上述した第１、第２の各実施形態では、ベゼル３のバンド連結部８の先端部に緩衝突起部８ａを設け、バンド本体１４の先端部に凹部１４ａを設け、このバンド本体１４の凹部１４ａにバンド連結部８の緩衝突起部８ａを嵌め合わせた構成である場合について述べたが、これに限らず、例えばベゼル３のバンド連結部８の先端部に凹部を設け、バンド本体１４の先端部に凸部を設け、バンド連結部８の凹部にバンド本体１４の凸部を嵌め合わせて連結するように構成しても良い。
【００５４】
さらに、上述した第１、第２の各実施形態では、ばね棒１５によってバンド連結部８とバンド本体１４とを連結した場合について述べたが、これに限らず、例えばピン部材やねじ部材などの連結部材によって、バンド連結部８とバンド本体１４とを連結した構成であっても良い。
【００５５】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【００５６】
（付記）
請求項１に記載の発明は、ケース本体と、このケース本体の外周面に設けられた合成樹脂製のベゼルと、前記ケース本体の裏面側に突出する緩衝突起部を有すると共に、前記ベゼルに一体に形成され、かつ時計バンドが連結されるバンド連結部と、を備えていることを特徴とする腕時計ケースである。
【００５７】
請求項２に記載の発明は、請求項１に記載の腕時計ケースにおいて、前記バンド連結部の前記緩衝突起部には、前記時計バンドを前記バンド連結部に取り付けるための連結部材が挿入する挿入孔が設けられていることを特徴とする腕時計ケースである。
【００５８】
請求項３に記載の発明は、請求項１または請求項２に記載の腕時計ケースにおいて、前記ベゼルおよび前記バンド連結部は、弾力性を有する合成樹脂によって形成されていることを特徴とする腕時計ケースである。
【００５９】
請求項４に記載の発明は、請求項１〜請求項３のいずれかに記載の腕時計ケースにおいて、前記ケース本体の外周面に設けられた係止部と、前記バンド連結部に対応する前記ベゼルの内周面に設けられて前記係止部に係合する係合部と、を備えていることを特徴とする腕時計ケースである。
【００６０】
請求項５に記載の発明は、請求項１〜請求項４のいずれかに記載の腕時計ケースにおいて、前記バンド連結部は、前記ケース本体の裏面に取り付けられた裏蓋の裏面を弾力的に係止するフック部を備えていることを特徴とする腕時計ケースである。
【００６１】
請求項６に記載の発明は、時計モジュールが組み込まれたケース本体と、このケース本体の外周面に設けられた合成樹脂製のベゼルと、前記ケース本体の裏面側に突出する緩衝突起部を有すると共に、前記ベゼルに一体に形成され、かつ時計バンドが連結されるバンド連結部と、を備えていることを特徴とする腕時計である。
【符号の説明】
【００６２】
１  腕時計ケース
２  ケース本体
３  ベゼル
６  裏蓋
８  バンド連結部
８ａ  緩衝突起部
８ｂ  挿入孔
１１  係止突起部
１２  係合凹部
１３  時計バンド
１４  バンド本体
１４ａ  凹部
１４ｂ  取付片
１４ｃ  取付孔
１５  ばね棒
２０  フック部
【図１】
2015010905.tif 000003
【図２】
2015010905.tif 000004
【図３】
2015010905.tif 000005
【図４】
2015010905.tif 000006
【図５】
2015010905.tif 000007
【図６】
2015010905.tif 000008
【図７】
2015010905.tif 000009